【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
インクジェットプリンタのプラテン上を前後方向に移動させて、インクジェットヘッドのノズルから噴射されるインク滴により、その表面に複数のインクのドットの配列からなる絵図又は文字をプリントするディスプレイボードであって、
そのディスプレイボードの絵図又は文字をプリント不可能な領域と絵図又は文字をプリント不可能となる可能性のある不定領域とを合わせた掴み代部分とそれよりも内側の絵図又は文字をプリント可能なディスプレイボード部分との境界線部分に、該ディスプレイボードの掴み代部分とそれよりも内側のディスプレイボード部分とを分離するための切り込みが設けられていることを特徴とするインクジェットプリンタ用のディスプレイボード。
【請求項２】
インクジェットプリンタのプラテン上を前後方向に移動させて、インクジェットヘッドのノズルから噴射されるインク滴により、その表面に複数のインクのドットの配列からなる絵図又は文字をプリントするディスプレイボードであって、
そのディスプレイボードの前端と後端の絵図又は文字をプリント不可能な領域と絵図又は文字をプリント不可能となる可能性のある不定領域とを合わせた掴み代部分とそれよりも内側の絵図又は文字をプリント可能なディスプレイボード部分との境界線部分に、該ディスプレイボード前端の掴み代部分とそれよりも内側のディスプレイボード部分、及び該ディスプレイボード後端の掴み代部分とそれよりも内側のディスプレイボード部分を分離するための切り込みが設けられていることを特徴とするインクジェットプリンタ用のディスプレイボード。
【請求項３】
前記切り込みが、ディスプレイボードの境界線部分に、ディスプレイボードの表裏の両側から設けられている請求項１又は２記載のインクジェットプリンタ用のディスプレイボード。
【請求項４】
前記ディスプレイボードの境界線部分にディスプレイボードの表裏の両側から設けられた切り込みの合計深さが、ディスプレイボードの厚さの約２／３以上であって、かつ、その切り込みを境に前記掴み代部分がそれよりも内側のディスプレイボード部分に対して掴み代部分の自重により折れ曲がらずにその内側のディスプレイボード部分とほぼ平面状に連なった状態に保持される深さである請求項３記載のインクジェットプリンタ用のディスプレイボード。
【請求項５】
インクジェットプリンタにより絵図又は文字がプリントされるディスプレイボード表面部分に、インクジェットプリント用の受像層が設けられたシートが貼着されている請求項１、２、３又は４記載のインクジェットプリンタ用のディスプレイボード。
【請求項６】
前記ディスプレイボードの掴み代部分の幅が、前記インクジェットプリンタのプラテン上をディスプレイボードを前後方向に移動させる送りローラと押えローラとの間に挟み込むディスプレイボードの挟み込み位置から、送りローラから最も離れたインクジェットヘッドに並ぶノズルまでの距離Ｈよりも大きく設定されている請求項１又は２記載のインクジェットプリンタ用のディスプレイボード。
【請求項７】
請求項１、２、３、４、５又は６記載のディスプレイボードをプラテン上に搭載して該プラテン上を前後方向に移動させるインクジェットプリンタであって、
前記プラテンの前方と後方とに、プラテン前方に突き出たディスプレイボードの前端部分を支持して、そのプラテン前方に突き出たディスプレイボードの前端部分の自重を受けて、プラテン上に搭載されたディスプレイボードがプラテン前方に傾くのを防ぐための第１支持腕と、プラテン後方に突き出たディスプレイボードの後端部分を支持して、そのプラテン後方に突き出たディスプレイボードの後端部分の自重を受けて、プラテン上に搭載されたディスプレイボードがプラテン後方に傾くのを防ぐための第２支持腕とが、排除可能に備えられているディスプレイボードプリント用のインクジェットプリンタ。
【手続補正２】
【補正対象書類名】明細書
【補正対象項目名】０００８
【補正方法】変更
【補正の内容】
【０００８】
そのために、このペーパームービングタイプのプリンタを用いてディスプレイボード５０表面に絵図又は文字をプリントする場合には、図９に示したように、そのディスプレイボード５０の前端縁と後端縁とに、上記の絵図又は文字をプリント不可能な領域と不定領域とを合わせた帯状の掴み代部分５２を残して、それよりも内側のディスプレイボード部分５４表面に絵図又は文字をプリントしている。そして、その後に、そのディスプレイボード５０の前端と後端の掴み代部分５２を、それよりも内側の絵図又は文字がプリントされたディスプレイボード部分５４から、カッター等により、切り離している。そして、表面全体に絵図又は文字が縁なしプリントされたディスプレイボード５０を得ている。
即ち、ペーパームービングタイプのプリンタを用いてディスプレイボード５０表面に絵図又は文字をプリントする場合には、インクジェットプリンタの送りローラ２４と押えローラ２６との間に挟み込むディスプレイボード５０の挟み込み位置から、送りローラ２４から最も離れたインクジェットヘッド１０に並ぶノズル１２までの距離Ｈよりも大きい幅を持つ掴み代部分５２を、ディスプレイボード５０に設けている。
【手続補正３】
【補正対象書類名】明細書
【補正対象項目名】００１１
【補正方法】変更
【補正の内容】
【００１１】
【課題を解決するための手段】
上記の第１の目的を達成するために、本発明のディスプレイボードは、ペーパームービングタイプのインクジェットプリンタのプラテン上を前後方向に移動させて、インクジェットヘッドのノズルから噴射されるインク滴により、その表面に複数のインクのドットの配列からなる絵図又は文字をプリントするディスプレイボードであって、
そのディスプレイボードの絵図又は文字をプリント不可能な領域と絵図又は文字をプリント不可能となる可能性のある不定領域とを合わせた掴み代部分とそれよりも内側の絵図又は文字をプリント可能なディスプレイボード部分との境界線部分に、該ディスプレイボードの掴み代部分とそれよりも内側のディスプレイボード部分とを分離するための切り込みが設けられていることを特徴としている。
具体的には、そのディスプレイボードの前端と後端の絵図又は文字をプリント不可能な領域と絵図又は文字をプリント不可能となる可能性のある不定領域とを合わせた掴み代部分とそれよりも内側の絵図又は文字をプリント可能なディスプレイボード部分との境界線部分に、該ディスプレイボード前端の掴み代部分とそれよりも内側のディスプレイボード部分、及び該ディスプレイボード後端の掴み代部分とそれよりも内側のディスプレイボード部分を分離するための切り込みが設けられていることを特徴としている。
【手続補正４】
【補正対象書類名】明細書
【補正対象項目名】００１６
【補正方法】変更
【補正の内容】
【００１６】
前記の第２の目的を達成するために、本発明のインクジェットプリンタは、本発明のディスプレイボードをプラテン上に搭載して該プラテン上を前後方向に移動させるペーパームービングタイプのインクジェットプリンタであって、
そのプラテンの前方と後方とに、プラテン前方に突き出たディスプレイボードの前端部分を支持して、そのプラテン前方に突き出たディスプレイボードの前端部分の自重を受けて、プラテン上に搭載されたディスプレイボードがプラテン前方に傾くのを防ぐための第１支持腕と、プラテン後方に突き出たディスプレイボードの後端部分を支持して、そのプラテン後方に突き出たディスプレイボードの後端部分の自重を受けて、プラテン上に搭載されたディスプレイボードがプラテン後方に傾くのを防ぐための第２支持腕とが、排除可能に備えられていることを特徴としている。
【手続補正５】
【補正対象書類名】明細書
【補正対象項目名】００１７
【補正方法】変更
【補正の内容】
【００１７】
このディスプレイボードプリント用のインクジェットプリンタにおいては、厚い板状のディスプレイボードの前端がプラテン前方に突き出た状態となった際に、そのプラテン前方に突き出たディスプレイボードの前端部分を、第１支持腕により支持できる。そして、そのディスプレイボードの前端部分の自重を受けて、プラテン上に搭載されたディスプレイボードが、プラテン前方に傾くのを防ぐことができる。そして、そのディスプレイボードがプラテン上方に配置されたインクジェットヘッド下面に接触した状態となるのを、防ぐことができる。
同様にして、厚い板状のディスプレイボードの後端がプラテン後方に突き出た状態となった際には、そのプラテン後方に突き出たディスプレイボードの後端部分を、第２支持腕により支持できる。そして、そのディスプレイボードの後端部分の自重を受けて、プラテン上に搭載されたディスプレイボードが、プラテン後方に傾くのを防ぐことができる。そして、そのディスプレイボードがプラテン上方に配置されたインクジェットヘッド下面に接触した状態となるのを、防ぐことができる。
さらに、通常の薄いシート等をプラテン上を前後方向に移動させて、そのシート等の表面にインクジェットヘッドのノズルから噴射されるインク滴により絵図又は文字をプリントする場合には、そのプラテンの前方と後方とに排除可能に備えられた邪魔となる第１支持腕と第２支持腕とを、プラテン前方と後方とから排除できる。そして、そのインクジェットプリンタを、通常の汎用のインクジェットプリンタに有効利用できる。